(57)【要約】【課題】背面ケース及び正面ケースからなる基板ケースが不正な方法で開放された場合に、その事実を容易に発見できるようにすることで、不正行為を防止できるようにする。【解決手段】背面ケースは、背面開口部５４と、背面開口部５４の内面に形成された背面嵌合凹部５４ａとを有し、正面ケースは、背面開口部５４から正面ケースの装着方向と直交する方向にずれて位置する正面開口部６５と、正面開口部６５の内面に形成された正面嵌合凹部６５ａとを有し、締結部材７０は、背面嵌合凹部５４ａと嵌まり合う背面締結凸部７１と、正面嵌合凹部６５ａと嵌まり合う正面締結凸部７２とを有しており、背面ケースの背面嵌合凹部５４ａと締結部材７０の背面締結凸部７１とが嵌まり合い、正面ケースの正面嵌合凹部６５ａと締結部材７０の正面締結凸部７２とが嵌まり合うことにより、背面ケースと正面ケースとが離脱不能に締結されるようにした。【選択図】図８
2006198114.tif 000002
【特許請求の範囲】
【請求項１】
背面側に位置して遊技機の制御基板を収容する透明樹脂からなる背面ケースと、
前記背面ケースの正面側に装着される透明樹脂からなる正面ケースと、
前記背面ケースに装着した前記正面ケースを離脱不能に締結する締結部材と
を備える遊技機の基板ケースであって、
前記背面ケースは、前記正面ケースの装着方向に開口する背面開口部と、前記背面開口部の内面に形成された前記締結部材との背面嵌合凹部とを有し、
前記正面ケースは、前記正面ケースの装着方向に開口し、前記背面ケースの前記背面開口部から前記正面ケースの装着方向と直交する方向にずれて位置する正面開口部と、前記正面開口部の内面に形成された前記締結部材との正面嵌合凹部とを有し、
前記締結部材は、前記背面ケースの前記背面開口部内で前記背面嵌合凹部と嵌まり合う弾性変形が可能な背面締結凸部と、前記正面ケースの前記正面開口部内で前記正面嵌合凹部と嵌まり合う弾性変形が可能な正面締結凸部とを有しており、
前記背面ケースの前記背面嵌合凹部と前記締結部材の前記背面締結凸部とが嵌まり合い、前記正面ケースの前記正面嵌合凹部と前記締結部材の前記正面締結凸部とが嵌まり合うことにより、前記背面ケースと前記正面ケースとが離脱不能に締結されて締結状態となるとともに、
前記背面ケースの前記背面開口部又は前記正面ケースの前記正面開口部の少なくとも一方は、前記締結部材による締結状態を保持しつつ破断可能に構成され、前記背面開口部又は前記正面開口部を破断することにより、前記背面ケースと前記正面ケースとが分離可能である
ことを特徴とする遊技機の基板ケース。
【請求項２】
請求項１に記載の遊技機の基板ケースにおいて、
前記背面ケースの前記背面開口部は、円筒形状であり、
前記正面ケースの前記正面開口部は、円筒形状であり、
前記締結部材は、前記背面ケースの前記背面開口部及び前記正面ケースの前記正面開口部と合致する形状である
ことを特徴とする遊技機の基板ケース。
【請求項３】
請求項１又は請求項２に記載の遊技機の基板ケースにおいて、
前記締結部材は、前記背面ケースの開口側から前記正面ケースの装着方向に差し込むと前記背面開口部内で前記背面嵌合凹部と嵌まり合う
ことを特徴とする遊技機の基板ケース。
【請求項４】
請求項１から請求項３までのいずれか１項に記載の遊技機の基板ケースにおいて、
前記背面ケースと前記正面ケースとは、一辺側が回転可能に連結され、対向する他辺側が前記締結部材で締結される
ことを特徴とする遊技機の基板ケース。
【請求項５】
請求項１から請求項４までのいずれか１項に記載の遊技機の基板ケースにおいて、
前記遊技機は、図柄を表示したリールを有するスロットマシンであり、
前記制御基板は、前記リールの回転を制御する
ことを特徴とする遊技機の基板ケース。
【請求項６】
請求項１から請求項４までのいずれか１項に記載の遊技機の基板ケースにおいて、
前記遊技機は、図柄変動表示装置を有する弾球遊技機であり、
前記制御基板は、前記図柄変動表示装置に表示された図柄の変動を制御する
ことを特徴とする遊技機の基板ケース。
【発明の詳細な説明】
【技術分野】
【０００１】
本発明は、遊技機の制御基板を収容する背面ケースと、その正面側に装着される正面ケースとを、締結部材によって離脱不能に締結する遊技機の基板ケースに係るものであり、詳しくは、背面ケースから正面ケースが不正な方法で分離された場合に、その事実を容易に発見できるようにすることにより、制御基板に対する不正行為を効果的に防止できるようにした技術に関するものである。
【背景技術】
【０００２】
スロットマシンや弾球遊技機等の遊技機における出玉に関する制御は、メイン制御基板と呼ばれる制御基板によって行われている。また、近年の遊技機では、メイン制御基板以外に、出玉に関する制御を実質的に行うサブ制御基板と呼ばれる制御基板が設けられている場合もある。
【０００３】
そして、このような遊技機において、メイン制御基板又はサブ制御基板の制御プログラムを改ざんしたり、メイン制御基板又はサブ制御基板の入出力信号等に対して外部から不正な信号を付与等することにより、本来の遊技と異なる適正でない遊技を実行させるという不正行為が問題となっている。
【０００４】
すなわち、メイン制御基板等の制御基板は、遊技機の開閉可能な本体カバーの背面に取り付けられているので、本体カバーを開けた際に、制御基板がそのまま外部に露出した状態であると、制御基板に対して不正な操作を実行することが可能となる。そのため、例えば、メイン制御基板に実装されている遊技プログラムを記憶したＲＯＭ等の電子部品が正規品以外のものに交換された場合には、適正でない遊技が実行されることとなり、遊技店等で大きな被害が出ることが考えられる。
【０００５】
そこで、背面ケースと正面ケースとからなる基板ケースの内部にメイン制御基板を収容し、背面ケースに装着した正面ケースを容易に開放できないようにして不正開放を防止する技術が知られている。すなわち、遊技機の基板ケースに不正開放防止手段等を設けてメイン制御基板アセンブリとし、このメイン制御基板アセンブリを遊技機の本体カバーの背面に取り付けることにより、基板ケース内のメイン制御基板に対する不正な操作の実行を防止できるようにした技術である。
【０００６】
このような不正開放防止手段を備えるメイン制御基板アセンブリとしては、例えば、基板ケースを構成する背面ケースと正面ケースとを締結部材によって離脱不能に締結して不正開放防止手段とし、この基板ケースを用いてメイン制御基板アセンブリとするものがある。具体的には、背面ケース及び正面ケースに、互いに対向する一対の開口部を設け、この開口部内に締結部材を挿入すると、締結部材の両端側に形成された各締結凸部が背面ケース及び正面ケースのそれぞれの開口部内に形成された嵌合凹部と嵌まり合うようにすることにより、背面ケースと正面ケースとを離脱不能とする技術が知られている（例えば、特許文献１参照）。
【特許文献１】特開２００４−２０９２３８号公報
【０００７】
図１０は、このような上記の特許文献１に開示された従来の遊技機の基板ケースを用いたメイン制御基板アセンブリ１３０を示す分解斜視図である。
図１０に示すように、メイン制御基板アセンブリ１３０は、メイン制御基板（図示せず）を収容する透明樹脂からなる背面ケース１５０と、背面ケース１５０に装着される透明樹脂からなる正面ケース１６０と、背面ケース１５０に装着した正面ケース１６０を離脱不能に締結する締結部材１７０とを備える基板ケースを用いたものである。
【０００８】
そして、この基板ケースと、遊技機の本体カバー（図示せず）の背面に取り付けられる一対のブラケット１４０とにより、メイン制御基板アセンブリ１３０が構成されることとなる。なお、図１０に示すメイン制御基板アセンブリ１３０においては、ブラケット１４０と正面ケース１６０との間も、背面ケース１５０と正面ケース１６０との間と同様に、締結部材１７０によって締結される。
【０００９】
このように、図１０に示すメイン制御基板アセンブリ１３０は、締結部材１７０によって背面ケース１５０と正面ケース１６０とが離脱不能に締結される基板ケースを用いたものである。そのため、背面ケース１５０は、正面ケース１６０の装着方向に開口する円筒状の４つの背面開口部１５４を有しており、各背面開口部１５４に締結部材１７０が嵌まり込むようになっている。
【００１０】
一方、正面ケース１６０も、その装着方向であって、背面ケース１５０の各背面開口部１５４と対向して開口する円筒状の４つの正面開口部１６５を有しており、各正面開口部１６５に締結部材１７０が嵌まり込むようになっている。そのため、締結部材１７０の両端側が背面開口部１５４及び正面開口部１６５に嵌まり込むと、背面ケース１５０と正面ケース１６０とが締結部材１７０を介して離脱不能に締結されることとなり、基板ケースとなる。
【００１１】
なお、背面ケース１５０及び正面ケース１６０は、どちらも透明樹脂からなっている。そのため、背面ケース１５０の内部にメイン制御基板（図示せず）を収容し、背面ケース１５０に正面ケース１６０を離脱不能に締結した状態であっても、正面ケース１６０を通して内部のメイン制御基板を見透かすことができる。
【００１２】
また、一対のブラケット１４０のうちの一方は、正面ケース１６０の装着方向に開口する円筒状の４つのブラケット開口部１４９を有しており、各ブラケット開口部１４９に締結部材１７０が嵌まり込むようになっている。そして、各ブラケット開口部１４９は、背面ケース１５０が干渉しない場所に配置されている。
【００１３】
一方、正面ケース１６０も、その装着方向であって、ブラケット１４０の各ブラケット開口部１４９と対向して開口する円筒状の４つの固定開口部１６６を有しており、各固定開口部１６６に締結部材１７０が嵌まり込むようになっている。そのため、締結部材１７０の両端側がブラケット開口部１４９及び固定開口部１６６に嵌まり込むと、背面ケース１５０と離脱不能に締結された状態の正面ケース１６０とブラケット１４０とが締結部材１７０を介して離脱不能に締結されることとなり、メイン制御基板アセンブリ１３０となる。
【００１４】
図１１は、このような従来の遊技機の基板ケースにおける背面ケースの背面開口部１５４及び正面ケースの正面開口部１６５を示す断面図であり、図１１（ａ）に示す背面開口部１５４の縦断面は、図１０に示す背面開口部１５４のＡ断面（垂直方向の断面）を示し、図１１（ｂ）に示す正面開口部１６５の縦断面は、図１０に示す正面開口部１６５のＢ断面（水平方向の断面）を示している。なお、背面開口部１５４の断面は、図１０に示すブラケット開口部１４９の断面と同様であり、正面開口部１６５の断面は、図１０に示す固定開口部１６６の断面と同様であるので、背面開口部１５４及び固定開口部１６６に関する符号をそれぞれ図１１にカッコ書きで追加している。
【００１５】
背面開口部１５４（ブラケット開口部１４９）は、図１１（ａ）に示すように、その内面に、締結部材１７０（図１０参照）との背面嵌合凹部１５４ａ（ブラケット嵌合凹部１４９ａ）が形成されたものである。すなわち、締結部材１７０は、背面嵌合凹部１５４ａ（ブラケット嵌合凹部１４９ａ）に嵌まり込むようになっている。また、背面開口部１５４（ブラケット開口部１４９）には、締結部材１７０の背面位置決め突起１５４ｂ（ブラケット位置決め突起１４９ｂ）も形成されている。
【００１６】
また、正面開口部１６５（固定開口部１６６）は、図１１（ｂ）に示すように、その内面に、締結部材１７０（図１０参照）との正面嵌合凹部１６５ａ（固定嵌合凹部１６６ａ）が形成されたものである。すなわち、締結部材１７０は、正面嵌合凹部１６５ａ（固定嵌合凹部１６６ａ）に嵌まり込むようになっている。また、正面開口部１６５（固定開口部１６６）には、締結部材１７０の正面位置決め突起１６５ｂ（固定位置決め突起１６６ｂ）も形成されている。
【００１７】
図１２は、このような従来の遊技機の基板ケースにおける締結部材１７０を示す図であり、図１２（ａ）は、その斜視図、図１２（ｂ）は、その正面図、図１２（ｃ）は、その側面の断面図（縦断面図）である。
図１２に示すように、締結部材１７０は、図１１に示す背面開口部１５４（ブラケット開口部１４９）及び正面開口部１６５（固定開口部１６６）に挿入可能なように、円筒形状となっている。
【００１８】
そして、締結部材１７０の両端側には、仕切り１７４を境として、それぞれ一対の背面締結凸部１７１及び正面締結凸部１７２が形成されている。また、締結部材１７０の両端部には、それぞれ一対の位置決め溝１７３が形成されている。なお、各背面締結凸部１７１と各正面締結凸部１７２とは、図１２（ｂ）に示すように、締結部材１７０の円周方向に９０°ずれた位置に形成されている。
【００１９】
ここで、各背面締結凸部１７１は、図１１（ａ）に示す一対の背面嵌合凹部１５４ａ（ブラケット嵌合凹部１４９ａ）と嵌まり合い、各正面締結凸部１７２は、図１１（ｂ）に示す一対の正面嵌合凹部１６５ａ（固定嵌合凹部１６６ａ）と嵌まり合うものである。そのため、各背面締結凸部１７１及び各正面締結凸部１７２は、どちらも弾性変形が可能であり、傾斜した凸部分が押されると、円筒形状の締結部材１７０の内面側に曲がって凸部分が平坦となるように引っ込むようになっている。
【００２０】
また、背面締結凸部１７１側の位置決め溝１７３を図１１（ａ）に示す一対の背面位置決め突起１５４ｂ（ブラケット位置決め突起１４９ｂ）に合わせれば、各背面締結凸部１７１と図１１（ａ）に示す一対の背面嵌合凹部１５４ａ（ブラケット嵌合凹部１４９ａ）との位置が合い、正面締結凸部１７２側の位置決め溝１７３を図１１（ｂ）に示す一対の正面位置決め突起１６５ｂ（固定位置決め突起１６６ｂ）に合わせれば、各正面締結凸部１７２と図１１（ｂ）に示す一対の正面嵌合凹部１６５ａ（固定嵌合凹部１６６ａ）との位置が合う。
【００２１】
図１３は、このような従来の遊技機の基板ケースの締結状態を示す部分断面図であり、図１３（ａ）は、その締結途中の状態を示し、図１３（ｂ）は、その締結完了後の状態を示している。なお、図１０に示す背面ケース１５０と正面ケース１６０との締結状態と、図１０に示すブラケット１４０と正面ケース１６０との締結状態とは、まったく同一であるので、図１３においては、背面ケース１５０の背面開口部１５４と正面ケース１６０の正面開口部１６５との締結状態を主体として表示し、ブラケット１４０のブラケット開口部１４９及び正面ケース１６０の固定開口部１６６に関する符号をそれぞれ図１３にカッコ書きで追加している。
【００２２】
図１３（ａ）に示すように、締結部材１７０の位置決め溝１７３を背面開口部１５４内の背面位置決め突起１５４ｂに合わせ、背面開口部１５４に締結部材１７０の背面締結凸部１７１側を挿入すると、締結部材１７０の各背面締結凸部１７１と背面開口部１５４内の各背面嵌合凹部１５４ａとが嵌まり合う。
【００２３】
すなわち、締結部材１７０の背面締結凸部１７１側を背面開口部１５４に挿入することにより、各背面締結凸部１７１が一度内側に引っ込むように作用する。そして、各背面締結凸部１７１が各背面嵌合凹部１５４ａの位置まで到達した時点で、引っ込んでいた各背面締結凸部１７１が再び元の状態に戻り、各背面嵌合凹部１５４ａに嵌まり込む。そのため、締結部材１７０を背面開口部１５４に一度挿入すると、二度と締結部材１７０が抜けなくなる。
【００２４】
次に、背面開口部１５４と対向する正面開口部１６５を締結部材１７０に挿入する。すなわち、図１３（ａ）に示すように、背面開口部１５４に嵌め込まれた状態の締結部材１７０に対して、図１３（ｂ）に示すように、正面開口部１６５を挿入する。なお、各正面締結凸部１７２の状態が明らかになるように、図１３（ｂ）においては、図１３（ａ）を締結部材１７０の円周方向に９０°回転させた断面で図示している。
【００２５】
そして、締結部材１７０の露出した正面締結凸部１７２側に正面開口部１６５を挿入すると、図１３（ｂ）に示すように、正面開口部１６５内の正面位置決め突起１６５ｂが締結部材１７０の位置決め溝１７３に嵌まり込むとともに、正面開口部１６５内の各正面嵌合凹部１６５ａと締結部材１７０の各正面締結凸部１７２とが嵌まり合う。
【００２６】
すなわち、正面開口部１６５を締結部材１７０の正面締結凸部１７２側に挿入することにより、各正面締結凸部１７２が一度内側に引っ込むように作用する。そして、各正面締結凸部１７２が各正面嵌合凹部１６５ａの位置まで到達した時点で、引っ込んでいた各正面締結凸部１７２が再び元の状態に戻り、各正面嵌合凹部１６５ａに嵌まり込む。そのため、正面開口部１６５を締結部材１７０に一度挿入すると、二度と正面開口部１６５が抜けなくなる。
【００２７】
このように、背面開口部１５４と背面締結凸部１７１及び正面開口部１６５と正面締結凸部１７２とがそれぞれ嵌まり合うことにより、背面開口部１５４と正面開口部１６５とが締結部材１７０を介して離脱不能に締結される。そのため、図１０に示す背面ケース１５０と正面ケース１６０とが締結状態となる。
【００２８】
また、背面ケース１５０と正面ケース１６０との締結とまったく同様にして、ブラケット１４０と正面ケース１６０とが締結状態となり、メイン制御基板アセンブリ１３０が組み立てられる。すなわち、図１３のカッコ書きの符号で示すように、図１３（ａ）において、締結部材１７０の位置決め溝１７３がブラケット開口部１４９のブラケット位置決め突起１４９ｂに嵌まり込むようにして、ブラケット開口部１４９に締結部材１７０を挿入する。すると、各背面締結凸部１７１とブラケット嵌合凹部１４９ａとが嵌まり合い、二度と締結部材１７０が抜けなくなる。
【００２９】
次に、ブラケット開口部１４９と対向する固定開口部１６６を締結部材１７０に挿入すると、図１３（ｂ）に示すように、固定位置決め突起１６６ｂが位置決め溝１７３に嵌まり込むとともに、各固定嵌合凹部１６６ａと各正面締結凸部１７２とが嵌まり合う。そのため、固定開口部１６６を締結部材１７０に一度挿入すると、二度と固定開口部１６６が抜けなくなる。
【００３０】
このように、ブラケット開口部１４９と背面締結凸部１７１及び固定開口部１６６と正面締結凸部１７２とがそれぞれ嵌まり合うことにより、ブラケット開口部１４９と固定開口部１６６とが締結部材１７０を介して離脱不能に締結される。そのため、図１０に示すブラケット１４０と正面ケース１６０とが締結状態となる。したがって、背面ケース１５０に装着した正面ケース１６０をブラケット１４０に締結することにより、メイン制御基板アセンブリ１３０が組み立てられることとなる。
【００３１】
ところで、背面ケース１５０と正面ケース１６０とが締結されてしまうと、締結部材１７０は、図１３（ｂ）に示すように、背面開口部１５４及び正面開口部１６５の内部に隠れることとなる。そのため、背面嵌合凹部１５４ａと嵌まり合った背面締結凸部１７１や、正面嵌合凹部１６５ａと嵌まり合った正面締結凸部１７２を、背面開口部１５４及び正面開口部１６５の外部から解除することは、基本的に不可能となる。
【００３２】
その結果、メイン制御基板（図示せず）は、背面ケース１５０と正面ケース１６０との間に密閉されることとなり、上記の特許文献１に開示された従来の遊技機の基板ケースによれば、メイン制御基板に実装されているＲＯＭを正規品以外のものに交換する等の不正行為が防止されるようになる。
【発明の開示】
【発明が解決しようとする課題】
【００３３】
しかし、上記の特許文献１に開示された従来の遊技機の基板ケースでは、仮に、正面ケース１６０が背面ケース１５０から不正に分離された場合に、その事実を発見することが困難であるという問題がある。そのため、不正行為の防止効果が不十分となり、さらなる改善が求められている。
【００３４】
すなわち、背面ケース１５０の背面開口部１５４にドリル等で穴を開け、棒等で締結部材１７０の背面締結凸部１７１を押し込めるようにすれば、背面開口部１５４から締結部材１７０を取り外すことができるようになる。すると、背面ケース１５０から正面ケース１６０を分離することが可能となるのである。
【００３５】
図１４は、このような従来の遊技機の基板ケースに対する不正行為の方法を説明する部分断面図であり、図１４（ａ）は、その第１段階を示し、図１４（ｂ）は、その第２段階を示している。
上記した通り、図１０に示す背面ケース１５０及び正面ケース１６０は、ともに透明樹脂からなっているので、図１４に示す背面開口部１５４及び正面開口部１６５も透明であり、背面開口部１５４及び正面開口部１６５の内部に隠れた締結部材１７０であっても、その外部から見透かすことができる。
【００３６】
すなわち、背面嵌合凹部１５４ａと嵌まり合った背面締結凸部１７１の位置を、背面開口部１５４の外部から把握することができるのである。そのため、図１４（ａ）に示すように、背面締結凸部１７１に向けて、背面開口部１５４にドリル２０１で穴開けすることができてしまう。すると、背面嵌合凹部１５４ａに背面締結凸部１７１が嵌まり合った位置に、穴２０２を形成することができる。
【００３７】
そして、図１４（ｂ）に示すように、背面開口部１５４の穴２０２に棒２０３を差し込めば、背面開口部１５４の外部から背面締結凸部１７１の傾斜した凸部分を押し込むことができる。すると、背面締結凸部１７１が締結部材１７０の内面側に曲がって凸部分が平坦となるように引っ込むので、背面嵌合凹部１５４ａと背面締結凸部１７１との一方の嵌合状態を解除することが可能となる。
【００３８】
このように、背面開口部１５４に穴２０２を形成することにより、背面嵌合凹部１５４ａから背面締結凸部１７１を外すことができ、その結果、背面開口部１５４から締結部材１７０ごと正面開口部１６５を分離することができるようになる。しかも、背面開口部１５４に穴２０２を設けただけなので、再度、背面開口部１５４に締結部材１７０を嵌め込むこともできてしまう。
【００３９】
図１５は、このような従来の遊技機の基板ケースに不正行為が行われた状態を説明する部分断面図であり、図１５（ａ）は、不正な分離状態を示し、図１５（ｂ）は、不正な締結状態を示している。
図１５（ａ）に示すように、背面開口部１５４に穴２０２が形成されていると、棒２０３（図１４参照）を用いることにより、背面開口部１５４に対して締結部材１７０を自由に抜き差しできるようになる。
【００４０】
そのため、背面開口部１５４から締結部材１７０ごと正面開口部１６５を分離した後、例えば、メイン制御基板（図示せず）に実装されているＲＯＭを正規品以外のものに交換し、遊技プログラムを変更して、背面開口部１５４に再び締結部材１７０を締結することができるようになる。すなわち、不正行為を行った後に、正面開口部１６５と嵌まり合っている締結部材１７０を背面開口部１５４に挿入すれば、各背面嵌合凹部１５４ａと各背面締結凸部１７１とが嵌まり合い、図１５（ｂ）に示すように、元と同じような状態に復帰する。
【００４１】
そして、背面開口部１５４に締結部材１７０が再び締結されると、メイン制御基板（図示せず）に対して不正行為が行われたことを発見することが困難となる。すなわち、背面開口部１５４及び正面開口部１６５がともに同じ大きさの円筒形状で、互いに合致した位置にあるために、背面開口部１５４に設けられた穴２０２が見えにくく、図１５（ｂ）に示すように、正面側から背面開口部１５４の方向を見ても、正面開口部１６５が邪魔になってしまい、通常の視線で、背面開口部１５４の穴２０２を発見することが困難なのである。
【００４２】
このように、従来の遊技機の基板ケースは、一見しただけでは、基板ケースが不正に開放され、メイン制御基板等の制御基板に対して不正行為が行われたか否かを判別することができないので、結果的に、不正行為の横行を許すこととなる。そして、このような事態を放置することは、制御基板を収容し、不正行為を未然に防止するという基板ケースの本質的な機能を損なう結果となる。
【００４３】
したがって、本発明が解決しようとする課題は、基板ケースが不正な方法で開放された場合には、その事実を容易に発見できるようにすることで不正行為の抑止力とし、制御基板に対する不正行為を効果的に防止できるようにした遊技機の基板ケースを提供することである。
【課題を解決するための手段】
【００４４】
本発明は、以下の解決手段によって上述の課題を解決する。
（請求項１）
請求項１の発明は、背面側に位置して遊技機の制御基板を収容する透明樹脂からなる背面ケースと、前記背面ケースの正面側に装着される透明樹脂からなる正面ケースと、前記背面ケースに装着した前記正面ケースを離脱不能に締結する締結部材とを備える遊技機の基板ケースであって、前記背面ケースは、前記正面ケースの装着方向に開口する背面開口部と、前記背面開口部の内面に形成された前記締結部材との背面嵌合凹部とを有し、前記正面ケースは、前記正面ケースの装着方向に開口し、前記背面ケースの前記背面開口部から前記正面ケースの装着方向と直交する方向にずれて位置する正面開口部と、前記正面開口部の内面に形成された前記締結部材との正面嵌合凹部とを有し、前記締結部材は、前記背面ケースの前記背面開口部内で前記背面嵌合凹部と嵌まり合う弾性変形が可能な背面締結凸部と、前記正面ケースの前記正面開口部内で前記正面嵌合凹部と嵌まり合う弾性変形が可能な正面締結凸部とを有しており、前記背面ケースの前記背面嵌合凹部と前記締結部材の前記背面締結凸部とが嵌まり合い、前記正面ケースの前記正面嵌合凹部と前記締結部材の前記正面締結凸部とが嵌まり合うことにより、前記背面ケースと前記正面ケースとが離脱不能に締結されて締結状態となるとともに、前記背面ケースの前記背面開口部又は前記正面ケースの前記正面開口部の少なくとも一方は、前記締結部材による締結状態を保持しつつ破断可能に構成され、前記背面開口部又は前記正面開口部を破断することにより、前記背面ケースと前記正面ケースとが分離可能であることを特徴とする。
【００４５】
請求項１の発明においては、背面ケースの背面開口部と正面ケースの正面開口部とが正面ケースの装着方向と直交する方向にずれて位置していることから、背面ケースに正面ケースを装着しても、背面開口部と正面開口部との位置が合致せず、ずれることとなる。そのため、通常の視線で、正面側から背面ケースの背面開口部を見た場合であっても、正面ケースの正面開口部が邪魔になることはなく、仮に、背面開口部に不正に穴が開けられていた場合には、一見しただけでその事実を発見することができる。
【００４６】
（請求項２）
請求項２の発明は、請求項１に記載の遊技機の基板ケースにおいて、前記背面ケースの前記背面開口部は、円筒形状であり、前記正面ケースの前記正面開口部は、円筒形状であり、前記締結部材は、前記背面ケースの前記背面開口部及び前記正面ケースの前記正面開口部と合致する形状であることを特徴とする。
【００４７】
請求項２の発明においては、背面ケースの背面開口部及び正面ケースの正面開口部がともに円筒形状となっている。そのため、締結部材の形状も単純な円筒形状とすることができ、背面開口部及び正面開口部に対する締結部材の挿入が容易なものとなる。そして、特に、背面開口部及び正面開口部がともに同じ大きさの円筒形状であるならば、締結部材において、背面開口部側と正面開口部側との区別が不要となり、締結部材の挿入が一層容易なものとなる。
【００４８】
（請求項３）
請求項３の発明は、請求項１又は請求項２に記載の遊技機の基板ケースにおいて、前記締結部材は、前記背面ケースの開口側から前記正面ケースの装着方向に差し込むと前記背面開口部内で前記背面嵌合凹部と嵌まり合うことを特徴とする。
【００４９】
請求項３の発明においては、締結部材を背面ケースの開口側から正面ケースの装着方向に差し込むだけで締結部材が背面嵌合凹部と嵌まり合う。すなわち、締結部材を背面開口部に挿入すれば、締結部材の背面締結凸部が弾性変形し、背面開口部内に形成された背面嵌合凹部に自動的に嵌まり合う。そのため、背面開口部に対する締結部材の嵌め込みが容易なものとなる。
【００５０】
（請求項４）
請求項４の発明は、請求項１から請求項３までのいずれか１項に記載の遊技機の基板ケースにおいて、前記背面ケースと前記正面ケースとは、一辺側が回転可能に連結され、対向する他辺側が前記締結部材で締結されることを特徴とする。
【００５１】
請求項４の発明においては、背面ケースと正面ケースとが回転可能に連結されている。そのため、連結されている一辺側を支点として正面ケースを回転させるだけで簡単に、正面ケースを背面ケースの正面側に装着することができる。また、締結部材は、他辺側だけに使用すれば良いので、締結部材の数を少なくすることができる。
【００５２】
（請求項５）
請求項５の発明は、請求項１から請求項４までのいずれか１項に記載の遊技機の基板ケースにおいて、前記遊技機は、図柄を表示したリールを有するスロットマシンであり、前記制御基板は、前記リールの回転を制御することを特徴とする。
【００５３】
（請求項６）
請求項６の発明は、請求項１から請求項４までのいずれか１項に記載の遊技機の基板ケースにおいて、前記遊技機は、図柄変動表示装置を有する弾球遊技機であり、前記制御基板は、前記図柄変動表示装置に表示された図柄の変動を制御することを特徴とする。
【００５４】
請求項５の発明においては、基板ケースがスロットマシンに適用される。そのため、スロットマシンに対する不正行為を効果的に防止することができる。
また、請求項６の発明においては、基板ケースが弾球遊技機に適用される。そのため、弾球遊技機に対する不正行為を効果的に防止することができる。
【発明の効果】
【００５５】
（請求項１）
請求項１の発明によれば、通常の視線で、正面側から背面ケースの背面開口部を見た場合であっても、正面ケースの正面開口部が邪魔になることはない。そのため、背面ケースの背面開口部に不正に穴が開けられていた場合には、その事実を容易に発見することができる。したがって、背面ケースと正面ケースとからなる基板ケースに収容された制御基板に対する不正行為を効果的に防止することができる。
【００５６】
（請求項２）
請求項２の発明によれば、締結部材の形状を単純な円筒形状とすることができるので、背面ケースの背面開口部及び正面ケースの正面開口部に対する締結部材の挿入が容易なものとなる。そのため、背面ケースに対して正面ケースを容易に装着することができ、背面ケースと正面ケースとからなる基板ケースの組立性が向上する。
【００５７】
（請求項３）
請求項３の発明によれば、締結部材を背面ケースの背面開口部を挿入すれば、締結部材が背面開口部内の背面嵌合凹部に自動的に嵌まり合うので、背面開口部に対する締結部材の嵌め込みが容易なものとなる。そのため、締結部材による背面ケースと正面ケースとの締結が容易になり、背面ケースと正面ケースとからなる基板ケースの組立性が大幅に向上する。
【００５８】
（請求項４）
請求項４の発明によれば、正面ケースを回転させるだけで簡単に、正面ケースを背面ケースの正面側に装着することができるので、背面ケースと正面ケースとからなる基板ケースの組立性が向上する。また、締結部材の数を少なくすることができるので、生産性及び経済性に優れた遊技機の基板ケースとすることができる。
【００５９】
（請求項５）
請求項５の発明によれば、スロットマシンのリールの回転を制御する制御基板に対する不正行為を効果的に防止することができるので、スロットマシンにおいて、適正でない遊技が実行される事態を回避できる。その結果、スロットマシンを設置した遊技店等における被害の発生を未然に防ぐことができる。
【００６０】
（請求項６）
請求項６の発明によれば、弾球遊技機の図柄変動表示装置に表示された図柄の変動を制御する制御基板に対する不正行為を効果的に防止することができるので、弾球遊技機において、適正でない遊技が実行される事態を回避できる。その結果、弾球遊技機を設置した遊技店等における被害の発生を未然に防ぐことができる。
【発明を実施するための最良の形態】
【００６１】
以下、図面を参照して、本発明の遊技機の基板ケースの一実施形態について説明する。
なお、以下の実施形態では、本発明の遊技機の基板ケースを適用する遊技機として、図柄を表示した３つのリールを有するスロットマシンを一例にして説明する。そして、本実施形態の遊技機の基板ケースに収容される制御基板は、スロットマシンの各リールの回転を制御するメイン制御基板であるとする。
【００６２】
（スロットマシン）
図１は、本実施形態の遊技機の基板ケースを適用したスロットマシン１０を示す正面図であり、図１（ａ）は、本体カバー１１を閉じた表面側（遊技者側）を示し、図１（ｂ）は、開けた本体カバー１１の背面側を示している。
図１に示すように、スロットマシン１０には、その表面側（遊技者側）を開閉自在に覆う本体カバー１１が取り付けられている。
【００６３】
そして、図１（ａ）に示すように、本体カバー１１の前面には、図１（ｂ）に示す３つのリール２０に表示された図柄を目視するための透明な表示窓１２と、遊技を行うためのメダルを投入するメダル投入口１３と、各リール２０のスタートレバー１４と、個々のリール２０の停止ボタン１５とがそれぞれ設けられている。また、メダル払出口１６や、払い出されたメダルを受けるメダル受け皿１７等も設けられている。
【００６４】
一方、図１（ｂ）に示すように、開けた本体カバー１１の背面側には、スロットマシン１０の電源基板１８、メイン制御基板１９を含むメイン制御基板アセンブリ３０、メイン制御基板１９によって制御される３つのリール２０、入賞の際のメダル払出装置２１、メダル補助収納庫２２等が配置されている。
【００６５】
ここで、３つのリール２０は、それぞれリング状のものであり、各リール２０の外周面には、複数の入賞図柄（入賞役を構成する図柄）を印刷したリールテープが貼り付けられている。また、各リール２０の中心部には、それぞれステッピングモーター（図示せず）が連結されている。そして、メイン制御基板１９の指令に基づく各ステッピングモーターの駆動により、各リール２０がそれぞれ回転する。なお、リールテープの貼付けにより、各リール２０には、２１個の複数種類の図柄が等間隔で配列されることとなるが、その図柄配列は、各リール２０ごとに異なっている。
【００６６】
図１に示すスロットマシン１０において、遊技者は、投入口１３にメダルを投入し、スタートレバー１４を操作する。すると、３つのリール２０がメイン制御基板１９の指令に基づいて同時に回転し、各リール２０に配列された図柄が表示窓１２内で上下方向に移動する。次に、遊技者が各停止ボタン１５を個別に押すと、その停止ボタン１５に対応するリール２０の回転が停止する。そして、遊技者が回転する各リール２０をすべて停止させると、遊技者は、表示窓１２を通して、停止した各リール２０の外周面にある一部の図柄を見ることができるようになり、図柄の組合せが確認可能となる。
【００６７】
ここで、停止した各リール２０の図柄の組合せが予め定められた何らかの役の図柄の組合せと一致した場合には、入賞となる。そして、入賞した場合、成立役に応じたメダルの払出しが行われる。すなわち、入賞によってメダル払出口１６からメダルが払い出されることとなり、このような入賞が繰り返されるごとに、メダル受け皿１７内にメダルが堆積する。
【００６８】
このように、図１に示すスロットマシン１０における各リール２０の回転は、メイン制御基板１９によって制御され、入賞が左右されることとなる。そのため、メイン制御基板１９は、厳重に管理される必要があり、メイン制御基板１９に実装された遊技プログラムを記憶したＲＯＭ等の電子部品が正規品以外のものに交換される事態を防止できるようにしておかなければならない。そこで、図１（ｂ）に示すように、メイン制御基板１９は、本実施形態の遊技機の基板ケースに収容され、この基板ケースを用いたメイン制御基板アセンブリ３０により、本体カバー１１の背面側に配置される。
【００６９】
（メイン制御基板アセンブリ）
図２は、本実施形態の遊技機の基板ケースを用いたメイン制御基板アセンブリ３０を示す斜視図である。
図２に示すように、メイン制御基板アセンブリ３０は、本体カバー１１（図１参照）の背面側に取り付けられる一対のブラケット４０と、ブラケット４０側（背面側）に位置してメイン制御基板１９（図１参照）を収容する背面ケース５０と、背面ケース５０の正面側に装着される正面ケース６０とを備えている。
【００７０】
ここで、背面ケース５０及び正面ケース６０は、ともに透明樹脂からなっており、内部に収容したメイン制御基板１９（図１参照）を見透かすことができる。また、正面ケース６０は、封印シール３１によって封印されている。さらに、正面ケース６０の表面には、メイン制御基板アセンブリ３０の検査年月日等を記入するための使用記録用紙３２が貼り付けられている。
【００７１】
図３は、本実施形態の遊技機の基板ケースを用いたメイン制御基板アセンブリ３０を示す分解斜視図である。
図３に示すように、ブラケット４０は、第１ブラケット部材４１と、第２ブラケット部材４４とから構成されている。ここで、第１ブラケット部材４１は、Ｌ字状の平板部４２と、この平板部４２の左端部及び下端部で垂直方向に形成されたＬ字状のリブ部４３とを有している。そして、平板部４２には、本体カバー１１（図１参照）との固定ネジ（図示せず）を挿入するためのネジ挿入孔４２ａが形成され、リブ部４３の内面側には、上下一対の嵌合凹部４３ａが形成されている。
【００７２】
一方、第２ブラケット部材４４は、逆Ｌ字状の平板部４５と、この平板部４５の下端部で垂直方向に形成されたリブ部４６と、平板部４５の上端部及び下端部から対向するように突出する一対の保持アーム４７と、平板部４５の右端部に形成された支持台部４８と、この支持台部４８から突出する支持突起部４８ａとを有している。そして、支持台部４８の内側に、締結部材１７０を嵌め込むための４つのブラケット開口部４９が設けられている。
【００７３】
なお、第１ブラケット部材４１のネジ挿入孔４２ａと同様のネジ挿入孔は、第２ブラケット部材４４にも形成されている。また、第１ブラケット部材４１の平板部４２と、第２ブラケット部材４４の平板部４５とを一体化することにより、第１ブラケット部材４１及び第２ブラケット部材４４を一体的に形成することもできる。
【００７４】
また、背面ケース５０は、正面側が開口する矩形箱状に形成されたケース筐体５１と、締結部材７０を嵌め込むための４つの背面開口部５４とから構成されている。ここで、ケース筐体５１は、開口側にメイン制御基板１９（図１参照）を収容できるようになっている。そして、ケース筐体５１の上側壁には、等間隔で３ヶ所にヒンジ軸５２が形成され、下側壁には、正面側に向けて突出する一対の閉鎖アーム５３が形成されている。
【００７５】
さらに、正面ケース６０は、背面ケース５０のケース筐体５１と合致するように背面側が開口する矩形箱状のカバー筐体６１と、このカバー筐体６１の右側壁から一体的に伸びる矩形枠部６４と、締結部材７０を嵌め込むための４つの正面開口部６５と、締結部材１７０を嵌め込むための４つの固定開口部６６とから構成されている。ここで、カバー筐体６１は、メイン制御基板１９（図１参照）を収容したケース筐体５１の正面側を密閉するものであり、カバー筐体６１の上側壁には、ケース筐体５１に形成されたヒンジ軸５２に対応するように、等間隔で３ヶ所にヒンジアーム６２が形成され、下側壁には、閉鎖アーム５３に対応するように、一対の閉鎖突起６３が形成されている。また、カバー筐体６１の左側壁には、第１ブラケット部材４１のリブ部４３に形成された嵌合凹部４３ａと対応する上下一対の嵌合突起６７が形成されている。
【００７６】
図４は、本実施形態の遊技機の基板ケースを用いたメイン制御基板アセンブリ３０を示す部分斜視図である。
図４に示すように、カバー筐体６１のヒンジアーム６２をケース筐体５１のヒンジ軸５２に引っかけると、カバー筐体６１の上側壁がケース筐体５１の上側壁に回転可能に連結される。
【００７７】
そして、カバー筐体６１をケース筐体５１の正面側に重ねると、ケース筐体５１の閉鎖アーム５３が弾性変形してカバー筐体６１の閉鎖突起６３に嵌まり込み、カバー筐体６１の下側壁とケース筐体５１の下側壁とが連結されて開かなくなる。そのため、メイン制御基板１９（図１参照）は、ケース筐体５１とカバー筐体６１との間に形成された空間内に閉じ込められることとなる。
【００７８】
また、図３に示すカバー筐体６１の各嵌合突起６７を第１ブラケット部材４１のリブ部４３に形成された嵌合凹部４３ａに嵌め込み、図４に示すように、矩形枠部６４を第２ブラケット部材４４の支持台部４８に重ねると、矩形枠部６４内に支持突起部４８ａが挿入されるとともに、上下一対の保持アーム４７が弾性変形して矩形枠部６４を保持する。そのため、カバー筐体６１は、第１ブラケット部材４１（図３参照）と第２ブラケット部材４４とによって保持されることとなる。
【００７９】
ところが、矩形枠部６４を第２ブラケット部材４４に重ねた状態では、一対の保持アーム４７が弾性変形して矩形枠部６４を保持しているだけである。そのため、それぞれの保持アーム４７を上下に弾性変形させれば、各保持アーム４７が矩形枠部６４から外れるので、ブラケット４０（図３参照）からカバー筐体６１及びケース筐体５１を簡単に取り外すことができる。
【００８０】
また、ケース筐体５１にカバー筐体６１を装着した状態では、一対の閉鎖アーム５３が弾性変形して閉鎖突起６３に嵌まり込んでいるだけである。そのため、ブラケット４０（図３参照）から取り外したケース筐体５１の各閉鎖アーム５３を下に弾性変形させれば、各閉鎖アーム５３が閉鎖突起６３から外れるので、ケース筐体５１に装着されたカバー筐体６１を簡単に開けることができる。その結果、メイン制御基板１９（図１参照）に実装されたＲＯＭを交換等することが可能となってしまう。
【００８１】
そこで、カバー筐体６１を簡単に開けられないようにしてメイン制御基板１９（図１参照）に対する不正行為を防止するために、図３に示す締結部材７０及び締結部材１７０が使用されている。すなわち、図３に示すように、背面ケース５０の背面開口部５４（右端）に嵌め込まれた締結部材７０に、正面ケース６０の正面開口部６５（右端）を嵌め込むことにより、背面ケース５０と正面ケース６０とが離脱不能に締結される。また、ブラケット４０のブラケット開口部４９（下端）に嵌め込まれた締結部材１７０に、正面ケース６０の固定開口部６６（下端）を嵌め込むことにより、ブラケット４０と正面ケース６０とが離脱不能に締結される。
【００８２】
なお、背面ケース５０と正面ケース６０とを離脱不能に締結するために、すべての背面開口部５４及び正面開口部６５に締結部材７０を嵌め込む必要はない。同様に、ブラケット４０と正面ケース６０とを離脱不能に締結するために、すべてのブラケット開口部４９及び固定開口部６６に締結部材１７０を嵌め込む必要はない。すなわち、ブラケット開口部４９、背面開口部５４、正面開口部６５及び固定開口部６６がそれぞれ４つずつあるのは、メイン制御基板アセンブリ３０の検査等を考慮して、背面ケース５０と正面ケース６０及びブラケット４０と正面ケース６０との締結又は分離を４回繰り返して行えるようにしたものである。
【００８３】
以上、説明したように、図２から図４に示すメイン制御基板アセンブリ３０は、ブラケット４０、背面ケース５０、正面ケース６０、締結部材７０及び締結部材１７０を備えるものである。そして、このようなメイン制御基板アセンブリ３０において、本実施形態の遊技機の基板ケースは、背面ケース５０と、正面ケース６０と、締結部材７０とによって構成される。すなわち、メイン制御基板アセンブリ３０は、本実施形態の遊技機の基板ケースにメイン制御基板１９（図１参照）を収容し、締結部材１７０を用いて、ブラケット４０に離脱不能に締結したものである。
【００８４】
したがって、締結部材１７０によるブラケット４０と正面ケース６０との締結は、本実施形態の遊技機の基板ケースとは無関係であり、限定されるものではない。すなわち、図２から図４に示すメイン制御基板アセンブリ３０においては、図１２に示す締結部材１７０により、図１０に示す従来の遊技機の基板ケースを用いたメイン制御基板アセンブリ１３０におけるブラケット１４０と正面ケース１６０との締結と同様にして、ブラケット４０と正面ケース６０とを締結している。
【００８５】
ここで、図１０に示すように、ブラケット１４０と正面ケース１６０との締結は、ブラケット開口部１４９と固定開口部１６６との間に締結部材１７０を介在させるものであるが、図３に示すブラケット４０のブラケット開口部４９は、図１０に示すブラケット１４０のブラケット開口部１４９と同一であり、図３に示す正面ケース６０の固定開口部６６は、図１０に示す正面ケース１６０の固定開口部１６６と同一となっている。すなわち、図３に示すブラケット開口部４９のＡ断面（垂直方向の断面）は、図１１（ａ）のカッコ書きの符号で示すブラケット開口部１４９の縦断面と同一であり、図３に示す固定開口部６６のＢ断面（水平方向の断面）は、図１１（ｂ）のカッコ書きの符号で示す固定開口部１６６の縦断面と同一である。
【００８６】
そのため、図３に示すメイン制御基板アセンブリ３０において、締結部材１７０によるブラケット４０と正面ケース６０との締結の詳細は、すでに、図１３を用いて上述した通りである。すなわち、図１３のカッコ書きの符号で示すように、図１３（ａ）において、締結部材１７０の位置決め溝１７３がブラケット開口部１４９（図３に示すブラケット開口部４９と同一）のブラケット位置決め突起１４９ｂに嵌まり込むようにして、ブラケット開口部１４９（ブラケット開口部４９）に締結部材１７０を挿入すれば、各背面締結凸部１７１とブラケット嵌合凹部１４９ａとが嵌まり合って、締結部材１７０が抜けなくなる。
【００８７】
また、ブラケット開口部１４９（ブラケット開口部４９）と対向する固定開口部１６６（図３に示す固定開口部６６と同一）を締結部材１７０に挿入すると、図１３（ｂ）に示すように、固定位置決め突起１６６ｂが位置決め溝１７３に嵌まり込むとともに、各固定嵌合凹部１６６ａと各正面締結凸部１７２とが嵌まり合って、固定開口部１６６（固定開口部６６）が抜けなくなる。
【００８８】
このように、ブラケット開口部４９と締結部材１７０の背面締結凸部１７１、固定開口部６６と締結部材１７０の正面締結凸部１７２とがそれぞれ嵌まり合うことにより、ブラケット開口部４９と固定開口部６６とが締結部材１７０を介して離脱不能に締結される。そのため、図３に示すブラケット４０と正面ケース６０とは、締結部材１７０によって締結されることとなる。
【００８９】
一方、図３に示す背面ケース５０と正面ケース６０との締結に際しては、図１２に示す締結部材１７０と異なる締結部材７０を用いている。そして、背面ケース５０の背面開口部５４に嵌め込まれた締結部材７０に、正面ケース６０の正面開口部６５を嵌め込むことにより、背面ケース５０と正面ケース６０とを離脱不能に締結している。そこで、以下、背面ケース５０の背面開口部５４、正面ケース６０の正面開口部６５、締結部材７０についてそれぞれ説明する。
【００９０】
（背面ケース）
図５は、本実施形態の遊技機の基板ケースにおける背面ケース５０の一部を拡大して示す図であり、図５（ａ）は、その正面図、図５（ｂ）は、その断面図である。なお、図５（ｂ）に示す背面開口部５４の縦断面は、図３に示す背面開口部５４のＡ断面（垂直方向の断面）を示している。
【００９１】
図５に示すように、背面ケース５０のケース筐体５１には、固定アーム５５を介して背面開口部５４が吊り下げられている。そして、この背面開口部５４は、正面ケース６０（図３参照）の装着方向に開口する円筒形状のものであり、背面開口部５４の内面には、締結部材７０（図３参照）との背面嵌合凹部５４ａと、締結部材７０の背面位置決め突起５４ｂとが形成されている。
【００９２】
（正面ケース）
図６は、本実施形態の遊技機の基板ケースにおける正面ケース６０の一部を拡大して示す図であり、図６（ａ）は、その背面側の正面図、図６（ｂ）は、その断面図である。なお、図６（ｂ）に示す正面開口部６５の縦断面は、図３に示す正面開口部６５のＢ断面（水平方向の断面）を示している。
【００９３】
図６に示すように、正面ケース６０のカバー筐体６１には、連結アーム６８を介して正面開口部６５が吊り下げられている。また、正面ケース６０の矩形枠部６４内に、固定開口部６６が連結されている。そして、この正面開口部６５及び固定開口部６６は、正面ケース６０の装着方向に開口する円筒形状のものであり、正面開口部６５の内面には、締結部材７０（図３参照）との正面嵌合凹部６５ａと、締結部材７０の正面位置決め突起６５ｂとが形成されている。なお、固定開口部６６の断面は、上記した通り、図１１（ｂ）のカッコ書きの符号で示す固定開口部１６６と同一である。
【００９４】
ここで、カバー筐体６１は、ケース筐体５１（図５参照）と合致する形状となっているが、正面開口部６５の連結アーム６８の長さは、図５に示す背面開口部５４の固定アーム５５よりも短くなっている。そのため、カバー筐体６１とケース筐体５１とを重ね合わせると、正面開口部６５と背面開口部５４とは、正面ケース６０の装着方向と直交する方向（垂直方向）にずれて位置するようになる。
【００９５】
（締結部材）
図７は、本実施形態の遊技機の基板ケースにおける締結部材７０を示す図であり、図７（ａ）は、その斜視図、図７（ｂ）は、その正面図、図７（ｃ）は、その側面の断面図（縦断面図）である。
図７に示すように、締結部材７０は、図５に示す背面開口部５４及び図６に示す正面開口部６５に挿入可能なように、円筒形状となっている。
【００９６】
そして、締結部材７０の両端側には、仕切り７４を境として、それぞれ一対の背面締結凸部７１及び正面締結凸部７２が形成されている。また、締結部材７０の両端部には、それぞれ一対の位置決め溝７３が形成されている。なお、各背面締結凸部７１と各正面締結凸部７２とは、図７（ｂ）に示すように、締結部材７０の円周方向に９０°ずれた位置に形成されている。
【００９７】
ここで、各背面締結凸部７１は、図５に示す一対の背面嵌合凹部５４ａと嵌まり合い、各正面締結凸部７２は、図６に示す一対の正面嵌合凹部６５ａと嵌まり合うものである。そのため、各背面締結凸部７１及び各正面締結凸部７２は、どちらも弾性変形が可能であり、傾斜した凸部分が押されると、円筒形状の締結部材７０の内面側に曲がって凸部分が平坦となるように引っ込むようになっている。
【００９８】
また、背面締結凸部７１側の位置決め溝７３を図５に示す一対の背面位置決め突起５４ｂに合わせれば、各背面締結凸部７１と図５に示す一対の背面嵌合凹部５４ａとの位置が合い、正面締結凸部７２側の位置決め溝７３を図６に示す一対の正面位置決め突起６５ｂに合わせれば、各正面締結凸部７２と図６に示す一対の正面嵌合凹部６５ａとの位置が合う。
【００９９】
さらに、上記した通り、図５に示すケース筐体５１と図６に示すカバー筐体６１とを重ね合わせると、図５に示す背面開口部５４と図６に示す正面開口部６５とが垂直方向にずれて位置することとなる。そのため、図７に示すように、締結部材７０は、仕切り７４を境として、背面締結凸部７１側と正面締結凸部７２側とが垂直方向にずれた形状となっており、締結部材７０の背面締結凸部７１側を図５に示す背面開口部５４に挿入するとともに、締結部材７０の正面締結凸部７２側を図６に示す正面開口部６５に挿入することができるようにしている。
【０１００】
なお、不正行為を効果的に防止するため、締結部材７０に、例えば、図７に示すようなＩＣチップ７５を埋め込むようにすることもできる。すなわち、ＩＣチップ７５に所定のデータを登録しておき、リーダー又はライターによって非接触でデータの読み取り及び書き込みを行い、基板ケースを管理するのである。
【０１０１】
具体的には、ＩＣチップ７５に、締結部材７０のシリアル番号、遊技機の型式名、遊技機の製造日、製造メーカー、納入販社名等の納入者情報、遊技機が導入されたホールの情報（ホール名、住所、納入日等）、封印シール番号、すべての封印履歴とその情報（開封履歴情報、封印者氏名、遊技機取扱主任者登録番号等）、暗証コード等を登録しておき、遊技機の製造出荷時、メイン制御基板の封印時、ホールの開店納入時、基板ケースの開封確認時、遊技機が中古となった場合の移動時、遊技機の撤去時等において、ＩＣチップ７５に覚え込ませた上記の情報を読み出したり更新したりする。そして、読み取りや書き込みが正規の機械で行われているか否か等を確認する。
【０１０２】
（基板ケース）
図８は、本実施形態の遊技機の基板ケースの締結状態を示す部分断面図であり、図８（ａ）は、その締結途中の状態を示し、図８（ｂ）は、その締結完了後の状態を示している。
図８（ａ）に示すように、締結部材７０の位置決め溝７３を背面開口部５４内の背面位置決め突起５４ｂに合わせ、背面開口部５４に締結部材７０の背面締結凸部７１側を挿入すると、締結部材７０の各背面締結凸部７１と背面開口部５４内の各背面嵌合凹部５４ａとが嵌まり合う。
【０１０３】
すなわち、締結部材７０の背面締結凸部７１側を背面開口部５４に挿入することにより、各背面締結凸部７１が一度内側に引っ込むように作用する。そして、各背面締結凸部７１が各背面嵌合凹部５４ａの位置まで到達した時点で、引っ込んでいた各背面締結凸部７１が再び元の状態に戻り、各背面嵌合凹部５４ａに嵌まり込む。そのため、締結部材７０を背面開口部５４に一度挿入すると、二度と締結部材７０が抜けなくなる。
【０１０４】
次に、背面開口部５４と対向する正面開口部６５を締結部材７０に挿入する。すなわち、図８（ａ）に示すように、背面開口部５４に嵌め込まれた状態の締結部材７０に対して、図８（ｂ）に示すように、正面開口部６５を挿入する。なお、各正面締結凸部７２の状態が明らかになるように、図８（ｂ）においては、図８（ａ）を締結部材７０の円周方向に９０°回転させた断面で図示している。
【０１０５】
ここで、正面開口部６５の連結アーム６８の長さは、背面開口部５４の固定アーム５５よりも短くなっているため、図８（ａ）に示すように、正面開口部６５と背面開口部５４とが垂直方向にずれて位置している。しかしながら、締結部材７０の正面締結凸部７２側と背面締結凸部７１側とは、正面開口部６５と背面開口部５４とのずれに対応してずれているので、図８（ｂ）に示すように、締結部材７０の露出した正面締結凸部７２側に問題なく正面開口部６５を挿入することができる。
【０１０６】
そして、締結部材７０に正面開口部６５を挿入すると、図８（ｂ）に示すように、正面開口部６５内の正面位置決め突起６５ｂが締結部材７０の位置決め溝７３に嵌まり込むとともに、正面開口部６５内の各正面嵌合凹部６５ａと締結部材７０の各正面締結凸部７２とが嵌まり合う。
【０１０７】
すなわち、正面開口部６５を締結部材７０の正面締結凸部７２側に挿入することにより、各正面締結凸部７２が一度内側に引っ込むように作用する。そして、各正面締結凸部７２が各正面嵌合凹部６５ａの位置まで到達した時点で、引っ込んでいた各正面締結凸部７２が再び元の状態に戻り、各正面嵌合凹部６５ａに嵌まり込む。そのため、正面開口部６５を締結部材７０に一度挿入すると、二度と正面開口部６５が抜けなくなる。
【０１０８】
このように、背面開口部５４と背面締結凸部７１及び正面開口部６５と正面締結凸部７２とがそれぞれ嵌まり合うことにより、背面開口部５４と正面開口部６５とが締結部材７０を介して離脱不能に締結される。そのため、図５に示す背面ケース５０と図６に示す正面ケース６０とが締結状態となる。
【０１０９】
ところで、従来の遊技機の基板ケースでは、図１４に示すように、背面開口部１５４にドリル２０１で不正に穴２０２を開け、棒２０３で締結部材１７０の背面締結凸部１７１を押し込むことにより、図１５に示すように、背面開口部１５４から締結部材１７０を不正に分離させることが可能であった。
【０１１０】
そして、背面開口部１５４に締結部材１７０が再び締結されると、背面開口部１５４と正面開口部１６５とが互いに合致した位置にあるために、背面開口部１５４に設けられた穴２０２が見えにくく、図１５（ｂ）に示すように、正面側から背面開口部１５４の方向を見ても、正面開口部１６５が邪魔になってしまい、通常の視線で、背面開口部１５４の穴２０２を発見することが困難であった。
【０１１１】
本実施形態の遊技機の基板ケースにおいても、図８に示すように、背面開口部５４と締結部材７０の背面締結凸部７１との締結状態は、従来の遊技機の基板ケースにおける背面開口部１５４と締結部材１７０の背面締結凸部１７１との締結状態と同一であるために、図１４に示すドリル２０１で背面開口部５４に穴を開ければ、背面開口部５４から締結部材７０を不正に分離させることが可能である。そのため、本実施形態の遊技機の基板ケースを用いたとしても、従来の遊技機の基板ケースと同様の不正行為が行われることが懸念される。
【０１１２】
しかし、本実施形態の遊技機の基板ケースの場合には、背面開口部５４に不正に穴開けされたとしても、従来の遊技機の基板ケースと異なり、その発見が容易となっている。そのため、不正行為を未然に防止することができる。
また、検査時等においては、図３に示すように、背面ケース５０と正面ケース６０とを正当に分離させる必要があるが、本実施形態の遊技機の基板ケースは、このような正当な分離にも対応できるものである。
【０１１３】
図９は、本実施形態の遊技機の基板ケースの効果を説明する部分断面図であり、図９（ａ）は、不正行為の発見を示し、図９（ｂ）は、正当な分離を示している。
図９（ａ）に示すように、背面開口部５４に不正に穴２０２が設けられている場合、棒（図示せず）を用いて背面締結凸部７１を押し込むことにより、締結部材７０ごと正面開口部６５を背面開口部５４から不正に分離させ、その後、背面開口部５４に締結部材７０を再び締結することにより、何事もなかったかのように、図９（ａ）に示す元の状態に復帰させることが可能である。
【０１１４】
しかし、本実施形態の遊技機の基板ケースでは、図９（ａ）に示すように、背面開口部５４と正面開口部６５とが、正面開口部６５の連結アーム６８の長さが背面開口部５４の固定アーム５５よりも短い分だけ、垂直方向にずれて位置している。そのため、背面開口部５４に不正に開けられた穴２０２が外部から見えやすくなっており、正面側から通常の視線で背面開口部５４を見れば、正面開口部６５に邪魔されることなく、不正な穴２０２を容易に発見することができる。したがって、不正の発見の容易性が不正行為の抑止力となる結果、不正行為を未然に防止することができる。
【０１１５】
次に、検査時等における正当な分離について説明する。
本実施形態の遊技機の基板ケースは、図６に示すように、正面開口部６５が連結アーム６８を介してカバー筐体６１に吊り下げられている。また、この連結アーム６８は、図９（ｂ）に示すように、締結部材７０による締結状態を保持しつつ破断可能に構成されている。そのため、検査時等の正当な分離に際しては、ニッパ等の切断工具を用いて連結アーム６８を破断させれば良い。そして、図２に示す封印シール３１をカッター等で切り離せば、背面ケース５０と正面ケース６０とを正当に分離させることができる。
【０１１６】
なお、図９（ｂ）に示すように、検査時等の正当な分離に際しては、連結アーム６８を破断させてしまうので、その連結アーム６８によって保持された正面開口部６５は、二度と使用することができない。しかしながら、図３に示すように、正面開口部６５は、４つある。そのため、次に締結する際には、連結アーム６８が破断していない他の正面開口部６５を使用すれば良い。そして、このような検査を行った場合には、図２に示す使用記録用紙３２に検査年月日等を記入しておく。
【０１１７】
以上、本発明の遊技機の基板ケースの一実施形態について説明したが、本発明の遊技機の基板ケースは、上述した実施形態に限定されることなく、例えば、以下のような種々の変形が可能である。
（１）上述した実施形態の遊技機の基板ケースは、遊技機の１つとして、図柄を表示した３つのリール２０を有するスロットマシン１０に適用した例を示したが、このようなスロットマシン１０には限られない。すなわち、図柄変動表示装置を有する弾球遊技機、アレンジボール、雀球遊技機等の種々の遊技機にも広く適用することができる。
【０１１８】
（２）上述した実施形態では、背面ケース５０の背面開口部５４及び正面ケース６０の正面開口部６５を円筒形状としているが、これに限ることなく、角筒形状等、他の形状であっても良い。なお、締結部材の形状は、背面開口部５４及び正面開口部６５の形状と合致させておく。
【０１１９】
（３）上述した実施形態では、正面開口部６５の連結アーム６８を破断可能に構成することにより、背面ケース５０と正面ケース６０とを正当に分離できるようにしているが、これに限ることなく、背面開口部５４の固定アーム５５を破断可能に構成することもできる。
【産業上の利用可能性】
【０１２０】
本発明の遊技機の基板ケースは、不正行為の事実を容易に発見できるようにすることで不正行為の抑止力とし、制御基板に対する不正行為を効果的に防止している。そのため、スロットマシン、弾球遊技機、アレンジボール、雀球遊技機等、制御基板を備える種々の遊技機に広く適用することができる。
【図面の簡単な説明】
【０１２１】
【図１】本実施形態の遊技機の基板ケースを適用したスロットマシンを示す正面図である。
【図２】本実施形態の遊技機の基板ケースを用いたメイン制御基板アセンブリを示す斜視図である。
【図３】本実施形態の遊技機の基板ケースを用いたメイン制御基板アセンブリを示す分解斜視図である。
【図４】本実施形態の遊技機の基板ケースを用いたメイン制御基板アセンブリを示す部分斜視図である。
【図５】本実施形態の遊技機の基板ケースにおける背面ケースの一部を拡大して示す正面図及び断面図である
【図６】本実施形態の遊技機の基板ケースにおける正面ケースの一部を拡大して示す背面側の正面図及び断面図である。
【図７】本実施形態の遊技機の基板ケースにおける締結部材を示す斜視図、正面図、側面の断面図（縦断面図）である。
【図８】本実施形態の遊技機の基板ケースの締結状態を示す部分断面図である。
【図９】本実施形態の遊技機の基板ケースの効果を説明する部分断面図である。
【図１０】従来の遊技機の基板ケースを用いたメイン制御基板アセンブリを示す分解斜視図である。
【図１１】従来の遊技機の基板ケースにおける背面ケースの背面開口部及び正面ケースの正面開口部を示す断面図である。
【図１２】従来の遊技機の基板ケースにおける締結部材を示す斜視図、正面図、側面の断面図（縦断面図）である。
【図１３】従来の遊技機の基板ケースの締結状態を示す部分断面図である。
【図１４】従来の遊技機の基板ケースに対する不正行為の方法を説明する部分断面図である。
【図１５】従来の遊技機の基板ケースに不正行為が行われた状態を説明する部分断面図である。
【符号の説明】
【０１２２】
１０  スロットマシン（遊技機）
１１  本体カバー
１２  表示窓
１３  メダル投入口
１４  スタートレバー
１５  停止ボタン
１６  メダル払出口
１７  メダル受け皿
１８  電源基板
１９  メイン制御基板（制御基板）
２０  リール
２１  メダル払出装置
２２  メダル補助収納庫
３０  メイン制御基板アセンブリ
３１  封印シール
３２  使用記録用紙
４０  ブラケット
４１  第１ブラケット部材
４２  平板部
４２ａ  ネジ挿入孔
４３  リブ部
４３ａ  嵌合凹部
４４  第２ブラケット部材
４５  平板部
４６  リブ部
４７  保持アーム
４８  支持台部
４８ａ  支持突起部
４９  ブラケット開口部
５０  背面ケース
５１  ケース筐体
５２  ヒンジ軸
５３  閉鎖アーム
５４  背面開口部
５４ａ  背面嵌合凹部
５４ｂ  背面位置決め突起
５５  固定アーム
６０  正面ケース
６１  カバー筐体
６２  ヒンジアーム
６３  閉鎖突起
６４  矩形枠部
６５  正面開口部
６５ａ  正面嵌合凹部
６５ｂ  正面位置決め突起
６６  固定開口部
６７  嵌合突起
６８  連結アーム
７０  締結部材
７１  背面締結凸部
７２  正面締結凸部
７３  位置決め溝
７４  仕切り
７５  ＩＣチップ
１３０  メイン制御基板アセンブリ
１４０  ブラケット
１４９  ブラケット開口部
１４９ａ  ブラケット嵌合凹部
１４９ｂ  ブラケット位置決め突起
１５０  背面ケース
１５４  背面開口部
１５４ａ  背面嵌合凹部
１５４ｂ  背面位置決め突起
１６０  正面ケース
１６５  正面開口部
１６５ａ  正面嵌合凹部
１６５ｂ  正面位置決め突起
１６６  固定開口部
１６６ａ  固定嵌合凹部
１６６ｂ  固定位置決め突起
１７０  締結部材
１７１  背面締結凸部
１７２  正面締結凸部
１７３  位置決め溝
１７４  仕切り
２０１  ドリル
２０２  穴
２０３  棒
【図１】
2006198114.tif 000003
【図２】
2006198114.tif 000004
【図３】
2006198114.tif 000005
【図４】
2006198114.tif 000006
【図５】
2006198114.tif 000007
【図６】
2006198114.tif 000008
【図７】
2006198114.tif 000009
【図８】
2006198114.tif 000010
【図９】
2006198114.tif 000011
【図１０】
2006198114.tif 000012
【図１１】
2006198114.tif 000013
【図１２】
2006198114.tif 000014
【図１３】
2006198114.tif 000015
【図１４】
2006198114.tif 000016
【図１５】
2006198114.tif 000017